(57)【要約】【課題】宅配業者などが接触する可能性が高い部分に対して抗菌処理若しくは滅菌処理を施し、頻繁に消毒や滅菌作業を行わなくとも、ウイルスや細菌等の増殖や感染を抑制する効果を保つようにし、製造コストも安価な抗菌性を有する宅配ボックスを提供する。【解決手段】箱部と、箱部の前面を構成する開閉可能な扉部とから成り、扉部には、施錠及び開錠のための扉開閉機構が設けられた宅配ボックスにおいて、扉部の一部が抗菌処理若しくは滅菌処理され、扉開閉機構の一部が抗菌処理若しくは滅菌処理された構造を有する。【選択図】図１
0003231280.tif 000002
【実用新案登録請求の範囲】
【請求項１】
箱部と、前記箱部の前面を構成する開閉可能な扉部とから成り、前記扉部には、施錠及び開錠のための扉開閉機構が設けられた宅配ボックスにおいて、
前記扉部の一部が抗菌処理若しくは滅菌処理され、前記扉開閉機構の一部が抗菌処理若しくは滅菌処理された構造を有することを特徴とする抗菌性を有する宅配ボックス。
【請求項２】
前記扉部の一部が、操作者の開閉動作により接触される部分であり、前記扉開閉機構の一部が、前記操作者の前記施錠及び前記開錠により接触される部分である請求項１に記載の抗菌性を有する宅配ボックス。
【請求項３】
前記扉開閉機構が、
前記施錠及び前記開錠の指示が前記操作者により行われる指示部と、
前記指示部の上面を覆うように配置され、開閉自在のカバーと、
で構成され、前記指示部及び前記カバーの一部が抗菌処理若しくは滅菌処理されている請求項２に記載の抗菌性を有する宅配ボックス。
【請求項４】
前記指示部が、
テンキーを有するキー部と、前記施錠及び前記開錠の指示を与えるサムターンとで構成されており、
前記キー部及び前記サムターンが抗菌処理若しくは滅菌処理されている請求項３に記載の抗菌性を有する宅配ボックス。
【請求項５】
前記指示部が、
前記施錠、前記開錠などを表示する表示部と、テンキーを有するキー部と、前記施錠及び前記開錠の指示を与える操作キーとで構成されており、
前記キー部及び前記操作キーが抗菌処理若しくは滅菌処理されている請求項３に記載の抗菌性を有する宅配ボックス。
【考案の詳細な説明】
【技術分野】
【０００１】
本考案はロッカー型の宅配ボックスに関し、特に、使用する度に消毒や滅菌を行わなくとも、ウイルスや細菌などによる感染リスクを低減できる抗菌性（抗ウイルス性を含む）を有する有用な宅配ボックスに関するものである。
【背景技術】
【０００２】
宅配ボックスは玄関先などに設置され、配達された荷物を居住者が不在の場合でも中に収納しておき、居住者が任意な時に取り出せるようになっているロッカー型の設備である。
【０００３】
そのため、こうした設備が設けられている場合には、宅配業者は、宅配物の配達先が不在であっても、宅配物を宅配ボックスに収納した上で、暗証番号などを設定して施錠し、これを不在伝票などに記載して、配達先のポストなどに投函しておく。そうすると、宅配物の受取人が帰宅した場合には、かかる不在伝票に基づき、受取人は、宅配物が届けられた事と、宅配ボックスの開錠のための暗証番号などを知ることができるため、宅配ボックスを開錠して、宅配物を受け取れるようになっている。
【０００４】
そして、このようなロッカー型の宅配ボックスは、集合住宅、或いは共同住宅と呼ばれる住宅棟（アパート、マンション等）に設置されることが多く、近年は、一戸建ての住宅にも設置されるケースが増加している。
【０００５】
一方、近年、ウイルスや細菌などによる感染症の感染リスクの拡大に伴い、日常生活においても、頻繁に殺菌や消毒が求められる機会が増えている。
【０００６】
そのため、宅配ボックスなどにおいても、手が触れる扉や把手等には、不特定多数の人が接触するので、その部分にウイルスや細菌等が付着する可能性が高い。その結果、収納された荷物を取り出すときに、取り出す人が、ウイルスや細菌等に感染してしまう恐れがある。特に宅配ボックスが集合住宅などに設置された場合には、他の住人が誤って別の宅配ボックスに触れる可能性も有る事から、これらを介した接触感染の防止を図るために、頻繁に消毒や殺菌を行うことが望ましい。
【０００７】
そこで、このようなロッカー型の宅配ボックスの設備の消毒や殺菌などのために、例えば、実用新案登録第３０９１３７４号公報（特許文献１）では、表面が開閉できるロッカー本体上部に、二酸化塩素溶液又は二酸化窒素を溶存させたゲル状固形物の殺菌・防臭剤を収容する除菌・消臭ガス発生容器を設置し、当該除菌・消臭ガス発生容器の上部に紫外線ランプを対向配置したことを特徴とする除菌ロッカーが開示されている。
【０００８】
そして、特許文献１の記載によれば、このような構成により「紫外線ランプにより除菌・消臭ガス発生容器に収容された殺菌・防臭剤のガス化を促進してロッカー本体内の二酸化塩素ガスの濃度を高めることができ、よって二酸化塩素ガスが微生物に汚染された作業着等の衣服及び作業靴等の対象物の表面、裏面等にまんべんなく行き渡って効果的な除菌・消臭を行得る効果がある」旨が記載されている。
【先行技術文献】
【特許文献】
【０００９】
【特許文献１】実用新案登録第３０９１３７４号公報
【考案の概要】
【考案が解決しようとする課題】
【００１０】
特許文献1に開示された考案では、紫外線ランプにより、殺菌・防臭剤のガス化を促進して、ロッカー本体内の二酸化塩素ガスの濃度を高めて除菌・消臭効果を高めている。
【００１１】
しかし、殺菌・防臭剤については、ガス化により全て消費した場合には、補給が必要になることから、補給の時期を見定めておく必要が有り、補給の時期を見過ごしてしまうと、有効な効果が得られず、感染リスクが拡大する恐れがある。
【００１２】
また、特許文献１に開示されたように、紫外線ランプを用いる構成とした場合には、電力を消費するため、殺菌・防臭剤を保持する必要性と併せて、ロッカーを設置した後にも余分なコストが掛かってしまう問題がある。更に、特許文献１に開示された例では、ロッカーの扉の内側については、殺菌・防臭剤の効果が期待できる可能性は有るものの、ロッカー本体の扉や、ロッカー本体外表面の開閉取手や鍵穴の部分については、何らの除菌効果も期待できない。
【００１３】
本考案は上述のような事情よりなされたものであり、本考案の目的は、宅配業者などが接触する可能性が高い部分に対して抗菌処理若しくは滅菌処理を施し、頻繁に消毒や滅菌作業を行わなくとも、ウイルスや細菌等の増殖や感染を抑制する効果を保つように、しかも製造コストが安価な抗菌性（抗ウイルス性を含む）を有する宅配ボックスを提供することにある。
【課題を解決するための手段】
【００１４】
本考案は、箱部と、前記箱部の前面を構成する開閉可能な扉部とから成り、前記扉部には、施錠及び開錠のための扉開閉機構が設けられた宅配ボックスに関し、本考案の上記目的は、前記扉部の一部が抗菌処理若しくは滅菌処理され、前記扉開閉機構の一部が抗菌処理若しくは滅菌処理された構造を有することにより達成される。
【００１５】
本考案の上記目的は、前記扉部の一部が、操作者の開閉動作により接触される部分であり、前記扉開閉機構の一部が、前記操作者の前記施錠及び前記開錠により接触される部分であることにより、或いは前記扉開閉機構が、前記施錠及び前記開錠の指示が前記操作者により行われる指示部と、前記指示部の上面を覆うように配置され、開閉自在のカバーとで構成され、前記指示部及び前記カバーの一部が抗菌処理若しくは滅菌処理されていることにより、或いは前記指示部が、テンキーを有するキー部と、前記施錠及び前記開錠の指示を与えるサムターンとで構成されており、前記キー部及び前記サムターンが抗菌処理若しくは滅菌処理されていることにより、或いは前記指示部が、前記施錠、前記開錠などを表示する表示部と、テンキーを有するキー部と、前記施錠及び前記開錠の指示を与える操作キーとで構成されており、前記キー部及び前記操作キーが抗菌処理若しくは滅菌処理されていることにより、より効果的に達成される。
【考案の効果】
【００１６】
本考案によれば、宅配ボックスを構成する扉部や扉開閉機構の一部、つまり操作者の手が接触する可能性の高い部分が、抗菌処理若しくは滅菌処理されているので、仮にウイルスや細菌等が付着した後に他の人が接触しても、感染リスクを抑制することができる有用性がある。
【００１７】
また、本考案では、人の手が触れる機会の多い部分のみを抗菌処理若しくは滅菌処理した宅配ボックスとしているので、低コストでウイルスや細菌等に対する感染予防を実現することが可能である。扉開閉機構が指示部とカバーで構成されている場合であっても、容易に一部を抗菌処理若しくは滅菌処理することが可能であり、全体を抗菌処理する場合に比べ、製造コストを抑制できる利点がある。
【図面の簡単な説明】
【００１８】
【図１】本考案による実施形態の一例を示す図であり、（Ａ）は正面図、（Ｂ）は側面図、（Ｃ）は斜視図である。
【図２】施解錠機構の一例を示す外観平面図である。
【図３】カバーの開閉動作を、図２のＸ−Ｘ線に沿って示す断面機構図である。
【図４】施解錠機構の他の例を示す外観平面図である。
【図５】本考案に係る他の実施形態を示す斜視図である。
【図６】図５に示した例について、扉の一部を開いた状態を示す斜視図である。
【考案を実施するための形態】
【００１９】
本考案は、基本的には、施錠及び開錠が可能な扉が設けられた箱型形状の筐体で成るロッカー型の宅配ボックスにおいて、当該宅配ボックスを構成する各部材について、操作者（宅配業者、受取人など）の手が接触する部分を抗菌処理若しくは滅菌処理した構造とすることにより、使用する度に消毒や滅菌処理等を行わなくとも、ウイルスや細菌等の感染を抑制する状態を保つことを可能としたものである。抗菌処理若しくは滅菌処理に代えて、抗菌材料若しくは滅菌材料を用いることも可能である。
【００２０】
全体を抗菌処理等したり、抗菌（抗ウイルス）材料を用いて構成する構造ではなく、人の手が接触する部分のみを抗菌処理若しくは滅菌処理するようになっているので、製造も比較的簡易であり、製造コストを抑制することができる。
【００２１】
なお、以下の説明では、同一の構成要素については、他の形態を採り得るものについても同一の記号を用いる場合があり、重複する構成の説明や記号等については、一部省略する場合がある。また、図面に例示する各構成要素の大きさや相互の比率などは、説明の便宜のために実際のものとは異なって拡大或いは強調している場合もあり、図面の一部については、分かり易くするために表現を省略している場合もある。また、本考案において、抗菌性とは、対象とする部材の表面が、ウイルスや細菌の付着・増殖ないしその感染を抑制する性質を備えていることをいい、抗ウイルス性を含んでいる。
【００２２】
以下に、本考案の実施形態を、図面を参照して説明する。
【００２３】
図１は、本考案に係る抗菌性を有する宅配ボックス１００の実施形態の構成例を示しており、図１（Ａ）は正面図、図１（Ｂ）は側面図、図１（Ｃ）は扉部１２０が開いた時の全体斜視図である。
【００２４】
図１に示す宅配ボックス１００は最も基本的な形態（単一構成）であり、例えば、一戸建て世帯用の宅配ボックスとして用いることが可能である。そして、集合住宅向けには、こうした基本的な形態の宅配ボックス１００を複数個組み合わせて一体化し、図５及び図６に例示するような実施形態の宅配ボックス２００が用いられる。
【００２５】
そこで、以下の説明では、先ず基本的な形態である宅配ボックス１００について説明する。
【００２６】
図１に示すように、本考案の実施形態に係る宅配ボックス１００は、基本的には、筐体状の箱部１１０と、当該箱部１１０の前面に配置され、開閉可能な扉部１２０とを基本的な構成要素としている。このうち、箱部１１０は宅配ボックス１００の主要部分を占めており、内部に宅配物を収容する空間となっている。そのため、箱部内部に宅配物を収容可能であれば、例えば、円筒形などの任意の形態を採用する事も可能である。
【００２７】
そして、本実施形態では、箱部１１０の本体部分は、左右の空間を仕切る右側板１１１及び左側板１１２と、上下の空間を仕切る天板１１３及び底板１１４と、前後の空間を仕切る背面板１１４と、前面の開閉可能な扉部１２０とから構成されている。また、箱部１１０の前面を構成する扉部１２０は、箱部１１０を開閉して箱部１１０の内部に宅配物を出し入れするために用いられる。そのため、本実施形態では、蝶番１２１Ａ及び１２１Ｂが、扉部１２０の左端と左側板１１２の前面との間に設けられており、扉部１２０が水平方向に開閉して、宅配物を前後方向に箱部１１０内に収納若しくは取り出すようになっている。
【００２８】
なお、筐体全体の構成によっては、蝶番を扉部１２０の上端と天板１１３部分に設けて前後方向（垂直方向）に開くように構成し、宅配物を上下方向に箱部内へ収納するように構成することも可能である。内部に宅配物を収納できれば、扉の開閉方向は問われないためである。また、蝶番に代えて、他の公知の手段を用いても良い。
【００２９】
そして、扉部１２０の表面から裏面にかけては、扉の中央部分に、箱部１１０の内部を確認するための長形状の窓部１２２が設けられている。窓部１２２は透明部材が張設された構造であっても、貫通溝であっても良い。貫通溝の場合には、当然ながら、人の手が箱部１１０の内部に入ることができないサイズとなる必要がある。また、扉部１２０には、扉部１２０を施錠すると共に、開錠する施解錠機構１３０が設けられている。施解錠機構１３０には、その施解錠に連動して回動ないし上下動（水平動）するラッチ１３２が連結されており、箱部１１０の右側板１１１の前面には、ラッチ１３２と係合して扉部１２０を施解錠状態とする係合部１１６が設けられている。
【００３０】
図２は施解錠機構１３０の一例を示しており、図３は図２のＸ−Ｘに沿った断面機構図である。施解錠機構１３０は、宅配業者等の操作者が施解錠の指示を行う板状の指示部１３１と、指示部１３１の上部に配置され、上部に設けられた蝶番１３３Ａ及び１３３Ｂを介して前後方向に開閉されるカバー１３３とで構成されている。カバー１３３の下方には、手で持って開けるための凹部１３３Ｃが設けられている。カバー１３３は、図３（Ａ）及び（Ｂ）に示すように、蝶番１３３Ａ及び１３３Ｂを介して前後方向に自在に開閉されて保持され、通常時は図３（Ａ）に示すように閉じられた状態となっており、指示部１３１を保護するようになっている。そして、指示部１３１を操作する場合には、図３（Ｂ）に示すように凹部１３３Ｃに手を差し入れ、手でカバー１３３の下方を手前に引っ張り、カバー１３３を開け、指示部１３１を操作する。
【００３１】
本例では、カバー１３３は透明材料で形成されているが、半透明材料、不透明材料であっても良い。また、凹部１３３Ｃの形状も任意であり、手でカバー１３３を開けることができれば良く、把手を設けるようにしても良い。更に、本例では上部に蝶番を設け、前後方向に開閉するようになっているが、左端若しくは右端に蝶番を設け、水平方向に開閉するようにしても良い。
【００３２】
指示部１３１は、テンキーなどを有するキー部１３１−１と、「ＯＰＥＮ」及び「ＬＯＣＫ」方向に回動するサムターン１３１−２とが、矩形の板状材に配置されて構成されている。そして、キー部１３１−１で暗証番号を入力して確認後にサムターン１３１−２を「ＬＯＣＫ」方向に回動するとラッチ１３２と係合部１１６の係合により扉部１２０が施錠され、キー部１３１−１で暗証番号を入力して確認後にサムターン１３１−２を「ＯＰＥＮ」方向に回動するとラッチ１３２と係合部１１６の係合が解除され、扉部１２０が開錠される。
【００３３】
なお、指示部１３１の周りには、雨などの水が浸入しないように防護壁１３４が周設されている。
【００３４】
このような構成において、本考案では、宅配業者や受取人等の操作者の手が接触する部分に対して、抗菌処理若しくは滅菌処理が施されている。即ち、図１（Ａ）に示すように、扉部１２０の右辺である領域ＡＲ１が抗菌処理若しくは滅菌処理されており、図１（Ａ）及び図２に示すように、カバー１３３の凹部近辺の領域ＡＲ２が抗菌処理若しくは滅菌処理されている。また、作業者の手が触れるサムターン１３１−２と、キー部１３１−１とが抗菌処理若しくは滅菌処理されている。
【００３５】
これにより、使用する度に若しくは頻繁に消毒や滅菌処理等を行う必要がなく、宅配ボックス１００を介して、ウイルスや細菌等に感染することを抑制することができる。宅配業者も受取人も安心して、宅配物の収納や取り出しを行うことができる。
【００３６】
図４は施解錠機構１３０の他の例を示しており、キー部１３１−１の上部に「ＯＰＥＮ」、「ＬＯＣＫ」、暗証番号等を表示する表示部１３１−３が設けられ、キー部１３１−１の下部には、確認後に開錠「ＯＰＥＮ」、施錠「ＬＯＣＫ」を指示する操作キー１３１−４が設けられている。この場合にも、キー部１３１−１及び操作キー１３１−４を含む領域ＡＲ５が抗菌処理若しくは滅菌処理されている。これにより、感染のリスクを緩和することができる。
【００３７】
次に、上述した単一の宅配ボックス１００を複数個組み合わせた他の実施形態を、図５を参照して説明する。
【００３８】
本実施形態では、上述した宅配ボックス１００を１つの要素（宅配ボックス要素）として、複数個組み合わせて一体化した構成となっている。即ち、本実施形態の宅配ボックス２００は、上述実施形態の宅配ボックス１００を縦に４段積層し、横に２段積層して整列させると共に、大きな宅配物を収納するための大型宅配ボックス１００Ａを組み合わせている。６個の宅配ボックス１００と１個の宅配ボックス１００Ａの構成であり、上部には一体化のための天板２０１が設けられ、底部にも一体化のための底板２０２が設けられている。また、図６は、１つの宅配ボックス１００の扉部１２０を開けた状態を示している。
【００３９】
本例の場合には、６個の宅配ボックス１００の扉部１２０の領域ＡＲ１−１〜ＡＲ１−６が抗菌処理若しくは滅菌処理されていると共に、各カバー１３０の領域ＡＲ２−１〜ＡＲ２−６が抗菌処理若しくは滅菌処理されている。また、大型宅配ボックス１００Ａの扉部の領域ＡＲ１−７と、カバーの領域ＡＲ２−７とが抗菌処理若しくは滅菌処理されている。本例の場合にも、操作者の手が触れる箇所が抗菌処理若しくは滅菌処理されているので、感染のリスクを緩和することができる。
【００４０】
なお、図５の実施形態では６個の宅配ボックス１００と１個の大型宅配ボックス１００Ａとで構成しているが、個数やサイズ等は任意に変更可能である。
【符号の説明】
【００４１】
１００、２００    宅配ボックス
１００Ａ      大型宅配ボックス
１１０        箱部
１１１        右側板
１１２        左側板
１１３、２０１    天板
１１４、２０２    底板
１１５        背面板
１１６        係合部
１２０        扉部
１２１Ａ，１２１Ｂ、１３３Ａ，１３３Ｂ    蝶番
１２２        窓部
１３０        施錠機構
１３１        指示部
１３１−１    キー部
１３１−２    サムターン
１３１−３    表示部
１３１−４    操作キー
１３２        ラッチ
１３３        カバー
１３４        防護壁
【図１】
0003231280.tif 000003
【図２】
0003231280.tif 000004
【図３】
0003231280.tif 000005
【図４】
0003231280.tif 000006
【図５】
0003231280.tif 000007
【図６】
0003231280.tif 000008